(57)【特許請求の範囲】
【請求項１】
水系乳化組成物に配合される複数の油剤、可溶化剤、非イオン界面活性剤、および防腐剤の種類とそれぞれの配合濃度とをデータとして入力する入力手段（ステップ１）と、各水相、油相成分の容量％、各油剤毎の容量率および総濃度の算定手段（ステップ２）と、ステップ１で入力したデータに基づき前記水系乳化組成物の水相中に含まれる可溶化剤濃度を算定する可溶化剤濃度算定手段（ステップ３）と、水相中の非イオン活性剤のモル濃度算定手段（ステップ４）と、ステップ３による可溶化剤濃度に基づき、前記各油剤毎に防腐剤の単純系における油相−水相分配係数を算定する第１の分配係数算定手段（ステップ５）と、ステップ２で得た容量率およびステップ５で得られた防腐剤の単純系における油相−水相分配係数とから、各油剤の混合系における防腐剤の油相−水相分配係数を算定する第２の分配係数算定手段（ステップ６）と、前記水系乳化組成物に含まれる油相および水相の容積比算定手段（ステップ７）と、ステップ４に基づき、非イオン界面活性剤によって可溶化されていない防腐剤（遊離の防腐剤）の割合の算定手段（ステップ８）と、前記ステップ５〜８に基づき前記ステップ１で入力した防腐剤の配合濃度と水相中で非イオン界面活性剤に対して遊離の防腐剤濃度の算定手段（ステップ９）と、ステップ９に基づき、水相中で遊離の防腐剤濃度を算定する手段（ステップ１０）と、ステップ１０を表示する手段（ステップ１１）と、その防腐剤濃度に基づいて最適防腐力獲得濃度を検定する手段（ステップ１２、１３）とから構成してなる防腐剤の配合濃度演算処理装置。
【請求項２】
ステップ１〜ステップ９から得られるステップ１０の算定結果をステップ１による入力データと共に表示・出力し（ステップ１１）、さらにステップ１１を基に、最適防腐力獲得濃度を検定する手段（ステップ１２、１３）を通じて得られる算定結果を表示・出力することから構成してなる請求項１に記載の防腐剤の配合濃度演算処理装置。
【請求項３】
前記第２の分配係数算定手段（ステップ６）は、ステップ２、３、５による油相−水相分配係数とに基づいて前記防腐剤の油相−水相分配係数を算定する構成としてなる請求項１乃至２に記載の防腐剤の配合濃度演算処理装置。
【請求項４】
前記非イオン界面活性剤によって可溶化されていない防腐剤（遊離の防腐剤）の割合の算定手段（ステップ８）は、ステップ２、４に基づいて防腐剤の配合濃度と遊離の防腐剤濃度の比率を算定する構成としてなる請求項１乃至３に記載の防腐剤の配合濃度演算処理装置。
【発明の詳細な説明】
【０００１】
【発明の属する技術分野】
本発明は、例えば乳化化粧料等の水系乳化組成物に添加すべき防腐剤の配合濃度を適正化するのに用いて好適な防腐剤の配合濃度演算処理装置に関する。
【０００２】
【従来の技術】
一般に、乳化化粧料等の水系乳化組成物にあっては、微生物等の発生を抑えるために、例えばパラオキシメチルエステル（ＭＰ）、パラオキシエチルエステル（ＥＰ）、パラオキシプロピルエステル（ＰＰ）、パラオキシブチルエステル（ＢＰ）、パラオキシイソブチルエステル（イソ−ＢＰ）等のパラベン類からなる防腐剤を添加するようにしている。
【０００３】
そして、例えば１９８６年に日本防菌防黴学会から発行された「防菌防黴ハンドブック」にも記載されているように、前記防腐剤として用いるパラベン類は、広い抗菌活性を持ち、抗菌作用が緩和であることから、薬品、食品、化粧品等に広く使用されている。
【０００４】
ところが、パラベン類を乳化化粧料等の水系乳化組成物に配合した場合、処方中に非イオン界面活性剤が共存すると非イオン界面活性剤による防腐力の低下が起こり、防腐剤の実際の効果が発揮されないといった問題が起こることが知られている。そのため、乳化化粧料等の水系乳化組成物に配合するパラベン類などの防腐剤の配合濃度の適切な決定は、時として困難なものとする。
【０００５】
そこで、水系乳化組成物に対するパラベン類などの防腐剤の配合濃度を短時間で算出でき、防腐剤の配合濃度を適正に演算処理できるようにした防腐剤の配合濃度演算処理装置が望まれる。
【０００６】
【発明が解決しようとする課題】
本発明者等はかかる事情に鑑み鋭意検討した結果、非イオン界面活性剤の影響による防腐剤の効果の低下をも考慮した防腐剤の配合濃度演算処理装置を発明することにより、防腐剤の配合濃度を適正に演算処理できるに至ったものであって、その目的は例えば乳化化粧料等の水系乳化組成物に添加すべき好適な防腐剤の配合濃度を決定する防腐剤の配合濃度演算処理装置を提供することにある。
【０００７】
【課題を解決するための手段】
上述した課題を解決するために、請求項１に記載の発明は、水系乳化組成物に配合される複数の油剤、可溶化剤、非イオン界面活性剤、および防腐剤の種類とそれぞれの配合濃度とをデータとして入力する入力手段（ステップ１）と、各水相、油相成分の容量％、各油剤毎の容量率および総濃度の算定手段（ステップ２）と、ステップ１で入力したデータに基づき前記水系乳化組成物の水相中に含まれる可溶化剤濃度を算定する可溶化剤濃度算定手段（ステップ３）と、水相中の非イオン活性剤のモル濃度算定手段（ステップ４）と、ステップ３による可溶化剤濃度に基づき、前記各油剤毎に防腐剤の単純系における油相−水相分配係数を算定する第１の分配係数算定手段（ステップ５）と、ステップ２で得た容量率およびステップ５で得られた防腐剤の単純系における油相−水相分配係数とから、各油剤の混合系における防腐剤の油相−水相分配係数を算定する第２の分配係数算定手段（ステップ６）と、前記水系乳化組成物に含まれる油相および水相の容積比算定手段（ステップ７）と、ステップ４に基づき、非イオン界面活性剤によって可溶化されていない防腐剤（遊離の防腐剤）の割合の算定手段（ステップ８）と、前記ステップ５〜８に基づき前記ステップ１で入力した防腐剤の配合濃度と水相中で非イオン界面活性剤に対して遊離の防腐剤濃度の算定手段（ステップ９）と、ステップ９に基づき、水相中で遊離の防腐剤濃度を算定する手段（ステップ１０）と、ステップ１０を表示する手段（ステップ１１）と、その防腐剤濃度に基づいて最適防腐力獲得濃度を検定する手段（ステップ１２、１３）とからなる構成を採用している。
【０００８】
また、請求項２に記載の発明では、ステップ１〜ステップ９から得られるステップ１０の算定結果をステップ１による入力データと共に表示・出力し（ステップ１１）、さらにステップ１１を基に、最適防腐力獲得濃度を検定する手段（ステップ１２、１３）とを備える構成としている。
【０００９】
次に、請求項３に記載の発明では、前記第２の分配係数算定手段（ステップ６）は、ステップ２、３、５による油相−水相分配係数とに基づいて前記防腐剤の油相−水相分配係数を算定する構成としている。
【００１０】
さらに、請求項４に記載の発明では、前記非イオン界面活性剤によって可溶化されていない防腐剤（遊離の防腐剤）の割合の算定手段（ステップ８）は、ステップ２、４に基づいて防腐剤の配合濃度と遊離の防腐剤濃度の比率を算定する構成としている。
【００１１】
【発明の実施の形態】
ここで、前記水系乳化組成物とは乳化化粧料、乳化食品および乳化薬品等を指し、前記油剤とはこれらの乳化物に用いられる疎水性物質であり、例えば鉱油、スクワラン、ミリスチン酸オクチルドデシル、トリ−２−エチルヘキサン酸グリセリン、ミリスチン酸イソセチル、トリステアリン酸硬化ヒマシ油、オリーブ油、メチルポリシロキサン、メチルフェニルポリシロキサン、シクロジメチルポリシロキサン、メトキシケイ皮酸オクチル、パラジメチルアミノ安息香酸オクチル等が使用される。
【００１２】
また、前記可溶化剤としては多価アルコール類が用いられ、例えば１，３ブチレングリコール（１，３−ＢＧ）、ジプロピレングリコール（ＤＰＧ）、グリセリン、エタノール等が使用される。
【００１３】
そして、前記防腐剤としては、乳化化粧料、食品および薬品等に使用される抗菌成分であり、例えばパラオキシメチルエステル（ＭＰ）、パラオキシエチルエステル（ＥＰ）、パラオキシプロピルエステル（ＰＰ）、パラオキシブチルエステル（ＢＰ）、パラオキシイソブチルエステル（イソ−ＢＰ）等のパラベン類が使用される。なお、防腐剤として安息香酸、安息香酸Ｎａ  、デヒドロ酢酸、デヒドロ酢酸Ｎａ  、フェノキシエタノール、フェネチルアルコール、１−フェノキシ−２プロパノール等を用いてもよい。
【００１４】
さらに、前記非イオン界面活性剤としては、ポリオキシエチレンエーテル系の界面活性剤が用いられ、例えばポリオキシエチレンセチルエーテル、ポリオキシエチレンラウリルエーテル、ポリオキシエチレンステアリルエーテル、ポリオキシエチレンオレイルエーテル、ポリオキシエチレンベヘニルエーテル、ポリオキシエチレンノニルフェニルエーテル、ポリオキシエチレンオクチルエーテル等が使用される。
【００１５】
【作用】
請求項１に記載の発明では、入力手段で入力したデータに基づき水系乳化組成物の水相中に含まれる可溶化剤の濃度を可溶化剤濃度算定手段で算定することにより、この可溶化剤の濃度に基づいて第１の分配係数算定手段では、水系乳化組成物の各油剤毎にそれぞれの防腐剤の単純系における油相−水相分配係数を算定できると共に、第２の分配係数算定手段では第１の分配係数算定手段により前記各油剤毎に算定した防腐剤の単純系における油相−水相分配係数に基づき前記各油剤の混合系における防腐剤の油相−水相分配係数を算定することができる。そして、非イオン界面活性剤濃度算定手段による非イオン界面活性剤濃度に基づき、非イオン界面活性剤によって可溶化されていない防腐剤（遊離の防腐剤）の割合の算定手段と容積比算定手段で算定した前記水系乳化組成物に含まれる油相と水相の容積比と前記第２の分配係数算定手段による防腐剤の油相−水相分配係数とに基づいて、防腐剤濃度検索算定手段では前記防腐剤の配合濃度および前記水相中での防腐剤濃度を、過去の処方値等を参考にして検索し算定することができ、防腐剤の配合濃度が適正値となるように短時間で演算処理を実行できる。
【００１６】
この場合、請求項２に記載の発明のように、記憶手段および表示・出力手段を備える構成とすることにより、前記可溶化剤濃度算定手段、前記第１，第２の分配係数算定手段、前記容積比算定手段および前記防腐剤濃度検索算定手段でそれぞれ演算処理を行うときに、前記記憶手段に記憶した各演算式を適宜に読出して順次演算処理を実行でき、その後は前記表示・出力手段で防腐剤濃度検索算定手段による検索算定結果を前記入力手段による入力データと共に表示・出力することにより、前記防腐剤の配合濃度および前記水相中での防腐剤濃度が過去の処方実績から妥当であるか否かを評価しつつ、前記入力データの変更を容易に行うことができる。
【００１７】
また、請求項３に記載の発明のように、前記第２の分配係数算定手段では、全油相の容量に対する前記各油剤毎の容量率と前記第１の分配係数算定手段による油相−水相分配係数とに基づいて前記防腐剤の油相−水相分配係数を算定する構成とすることにより、前記各油剤の混合系における防腐剤の油相−水相分配係数をさらに正確に算定できる。
【００１８】
さらに、請求項４に記載の発明のように、前記非イオン界面活性剤によって可溶化されていない防腐剤（遊離の防腐剤）の割合の算定手段（ステップ８）は、ステップ２、４に基づいて防腐剤の配合濃度と遊離の防腐剤濃度の比率を算定する構成とすることにより、前記非イオン界面活性剤の影響を考慮した可溶化されていない防腐剤（遊離の防腐剤）の割合をさらに正確に算定できる。
【００１９】
【実施例】
以下、本発明の実施例による防腐剤の配合濃度演算処理装置を図１乃至図４に基づいて説明する。
【００２０】
図１中、１は当該配合濃度演算処理装置の本体部を構成するコントロールユニットを示し、該コントロールユニット１は入出力インターフェース（Ｉ／Ｏ）、中央演算処理回路（ＣＰＵ）およびＲＯＭ，ＲＡＭ等の記憶回路（いずれも図示せず）からなるマイクロコンピュータにより構成されている。
【００２１】
そして、コントロールユニット１の入力側にはテンキー等を含むキーボード２、マウス３およびフロッピーディスク装置（ハードディスク装置）からなる記憶装置４等が接続され、キーボード２およびマウス３は後述の水相・油相成分および防腐剤の種類やそれぞれの配合濃度（配合量）を入力データとして入力するための入力手段を構成している。
【００２２】
また、コントロールユニット１の出力側にはディスプレイ５およびプリンタ６等が接続され、該ディスプレイ５およびプリンタ６は表示・出力手段を構成している。そして、コントロールユニット１は前記記憶回路内に図２および図３に示すプログラム等を格納し、防腐剤の配合濃度演算処理を行うようになっている。さらに、コントロールユニット１の記憶回路にはその記憶エリア１Ａ内に、後述の数１〜数３および数５〜数７による演算式が予め格納されると共に、キーボード２等による入力データおよび各演算式による演算結果等が更新可能に記憶されるものである。
【００２３】
ここで、コントロールユニット１の記憶エリア１Ａは各演算式等を記憶する記憶手段を構成している。なお、この記憶手段としてはコントロールユニット１の記憶エリア１Ａに限るものではなく、フロッピーディスク装置（ハードディスク装置）等からなる記憶装置４によって記憶手段を構成してもよい。
【００２４】
また、水系乳化組成物として乳化化粧料を例に挙げると、この乳化化粧料は下記の表１に示すように、７４重量％（容量％）の純水および可溶化剤としての８重量％（容量％）のジプロピレングリコール（ＤＰＧ）からなる水相）と、下記の表２に示すように、１０重量％（容量％）の鉱油、４重量％（容量％）のミリスチン酸オクチルドデシルおよび２重量％（容量％）のシクロジメチルポリシロキサンからなる油相とによって構成され、更に表１および表３に示すようにこれらに乳化剤としては例えば非イオン系界面活性剤である、２重量％（容量％）のポリオキシエチレンセチルエーテル（エチレンオキサイドの付加モル数１０モル）（表３参照）がこれらの乳化化粧料に加えられている。
【００２５】
【表１】
0003618489.tif 000002
【００２６】
【表２】
0003618489.tif 000003
【００２７】
【表３】
0003618489.tif 000004
【００２８】
本実施例による防腐剤の配合濃度演算処理装置は上述の如き構成を有するもので、次に図２および図３を参照してコントロールユニット１による防腐剤の配合濃度演算処理について説明する。
【００２９】
まず、処理動作がスタートすると、ステップ１で前記乳化化粧料の水相・油相成分（種類）、および非イオン界面活性剤（例えばポリオキシエチレンセチルエーテル）を前記表１および表２の如く選定すると共に、それぞれの配合量を重量％で数値入力する。
【００３０】
また、ステップ１では前記乳化化粧料の抗菌成分となる防腐剤の種類を下記の表４に示すように、例えばパラオキシメチルエステル（ＭＰ）、パラオキシエチルエステル（ＥＰ）、パラオキシプロピルエステル（ＰＰ）、パラオキシブチルエステル（ＢＰ）からなるパラベン類として選定し、これらをそれぞれＭＰ，ＥＰ，ＰＰ，ＢＰとして図１に示したキーボード２またはマウス３により入力する。
【００３１】
【表４】
0003618489.tif 000005
【００３２】
そして、次なるステップ２では各水相・油相成分毎にその配合率を容量％として前記表１、表２、および表３に示すように演算すると共に、各油剤ｋ（例えば鉱油，ミリスチン酸オクチルドデシルまたはシクロジメチルポリシロキサン）毎に容量率Ｖｋ  （ｋ＝１，２，３，…）を、
【００３３】
【数１】
Ｖｋ  ＝（油剤ｋの容量）／（全油相の容量）
として表２に示す如く鉱油，ミリスチン酸オクチルドデシルおよびシクロジメチルポリシロキサン毎に算定する。また、このときに総濃度を容量％として表３に示す如く演算する。
【００３４】
次に、ステップ３では水相中の可溶化剤（ＤＰＧ）濃度ｘ（容量％）を、
【００３５】
【数２】
ｘ＝１００・（ＤＰＧ容量）／（全水相の容量）
として前記表１に示す如く算定する。
【００３６】
次に、ステップ４では水相中の非イオン活性剤のモル濃度Ｍ（ｍｏｌ／ｌ）を、
【００３７】
【数３】
Ｍ＝１０・（非イオン界面活性剤の水相中濃度／非イオン界面活性剤の分子量）
として前記表１に示す如く算定する。
【００３８】
そして、次なるステップ５では各油剤ｋ毎に防腐剤（ＭＰ，ＥＰ，ＰＰまたはＢＰのいずれか）の単純系における油相−水相分配係数Ｐｋ  （ｋ＝１，２，３，…）を、前記数２の式による可溶化剤（ＤＰＧ）濃度ｘから、
【００３９】
【数４】
Ｐｋ  ＝ａ×１０−ｂｘ  
ａ，ｂ：防腐剤、油剤ｋおよび可溶化剤の種類によって決まる定数
として算定する。
【００４０】
次に、ステップ６ではステップ２で得た前記数１による各油剤ｋ毎の容量率Ｖｋ  （ｋ＝１，２，３，…）と前記ステップ５で得た数４によるそれぞれの単純系における油相−水相分配係数Ｐｋ  とから、各油剤ｋの混合系（即ち鉱油，ミリスチン酸オクチルドデシルおよびシクロジメチルポリシロキサンを混合した状態）における防腐剤の油相−水相分配係数Ｐｒ  を数５
【００４１】
【数５】
0003618489.tif 000006
なるクルップ（Ｋｕｒｕｐ）等の演算式（ファルマソイティカ  アクタ  ヘルベティアエ  ，６１，３０８頁−３１３頁（１９８６年）「Ｐｈａｒｍ．Ａｃｔａ
Ｈｅｌｖ．，６１，３０８−３１３（１９８６）」参照）から算定する。
【００４２】
ここで、防腐剤としてＭＰを使用した場合には、前記表２および表４に示す如く油剤としての鉱油は容量率Ｖ１  （Ｖ１  ＝０．６２５）、分配係数Ｐ１  （Ｐ１  ＝０．０３４）となり、油剤としてのミリスチン酸オクチルドデシルは容量率Ｖ２  （Ｖ２  ＝０．０２５）、分配係数Ｐ２  （Ｐ２  ＝３．６５５）となり、油剤としてのシクロジメチルポリシロキサンは容量率Ｖ３  （Ｖ３  ＝０．１２５）、分配係数Ｐ３  （Ｐ３  ＝０．０９０）となるので、これらの混合系における防腐剤（ＭＰ）の油相−水相分配係数Ｐｒ  を数５の演算式により、Ｐｒ  ＝０．３９８６として前記表４の如く算定する。また、他の防腐剤（ＥＰ，ＰＰ，ＢＰ）を使用した場合についても、これと同様にして混合系における油相−水相分配係数Ｐｒ  を表４の如く算定する。
【００４３】
次に、ステップ７では乳化化粧料に含まれる油相（鉱油，ミリスチン酸オクチルドデシルおよびシクロジメチルポリシロキサン）と水相（純水およびＤＰＧ）の容積比Φを
【００４４】
【数６】
Φ＝（油相の容量）／（水相の容量）
なる数６から算定する。
水相の容量が８２に対し油相の容量が１６でその容積比は０．１９５１と算定された。
【００４５】
次に、ステップ８では乳化化粧料に含まれる防腐剤の配合濃度と遊離の防腐剤濃度の比率Ｒを、
【００４６】
【数７】
0003618489.tif 000007
ｃ，ｄ：防腐剤、非イオン界面活性剤の種類によって決まる定数、
Ｈ：非イオン界面活性剤のＨＬＢ（界面活性剤を構成している親水基
と親油基の強さバランスを示したパラメータ）、
Ｍ：非イオン界面活性剤の水相中のモル濃度
として算定する。
【００４７】
ここで、防腐剤としてＭＰを使用した場合、非イオン界面活性剤として直鎖のアルキルエーテル系のうち、いずれかを使用した場合、定数ｃは６．４に、定数ｄは４４になる。また、非イオン界面活性剤としてポリオキシエチレンセチルエーテル（エチレノキサイド付加モル数１０モル）を使用した場合、ＨＬＢは１３．５となる。さらに、ポリオキシエチレンセチルエーテル（エチレンオキサイド付加モル数１０モル）の分子量は６８２であるからステップ４にて算定された如く水相中のモル濃度は０．０３５ｍｏｌ／ｌとなる。したがってＲ値は表５に示す如く算定された。
【００４８】
そして、図３に示す次なるステップ９では、過去の処方値等を検索しこれを参考とすることによって防腐剤の配合濃度Ｃを数値入力し、ステップ１０に移ってこの防腐剤の配合濃度Ｃ、前記容積比Φ、数５の式による油相−水相分配係数Ｐｒ  および数７の式によるＲから水相中で遊離の防腐剤濃度Ｃｗを
【００４９】
【数８】
Ｃｗ  ＝Ｃ×｛（Φ＋１）／（Ｐｒ  ×Φ＋Ｒ）｝
数８なるビーン（Ｂｅａｎ）等の演算式（ジャーナル  オブ  ファーマシイアンドファーマコロジィ，２１，１７３Ｓ−１８１Ｓ（１９６９年）「Ｊ．Ｐｈａｒｍ．Ｐｈａｒｍａｃ．，２１，１７３Ｓ−１８１Ｓ（１９６９）」参照）を用いて算定した。その結果を表５、表６に示した。
【００５０】
【表５】
0003618489.tif 000008
【００５１】
【表６】
0003618489.tif 000009
【００５２】
次に、ステップ１１では前記防腐剤（ＭＰ，ＥＰ，ＰＰ，ＢＰ）の配合濃度Ｃおよび水相中での防腐剤濃度Ｃｗ  （水相中濃度）を各入力データと共に、表１〜表６および図４に示す如くディスプレイ５で画面表示させ、これらを必要に応じてプリンタ６でプリントアウトさせる。
【００５３】
ここで、図４に示す特性線では、前記数８の演算式によって算出した各防腐剤（ＭＰ，ＥＰ，ＰＰ，ＢＰ）の配合濃度Ｃを棒グラフとして表し、水相中での防腐剤濃度Ｃｗ  （水相中濃度）を折れ線グラフとして表している。
【００５４】
そして、次なるステップ１２では画面表示（プリントアウト）された防腐剤の配合濃度Ｃおよび防腐剤濃度Ｃｗ  等から、防腐剤濃度Ｃｗ  の値を変更すべきか否かを判定し、「ＹＥＳ」と判定したときにはステップ８に戻って防腐剤濃度Ｃｗ  の数値データを変更し、再びステップ９からステップ１１に亘る処理を繰返すようにする。
【００５５】
また、ステップ１２で「ＮＯ」と判定したときには次なるステップ１３に移って過去の処方実績から防腐剤の配合濃度Ｃ等が妥当であるか否かを判定し、「ＮＯ」と判定したときには前記ステップ１に戻ってこれ以降の処理を繰返すようにする。そして、ステップ１３で「ＹＥＳ」と判定したときには防腐剤の配合濃度Ｃ等が妥当であるとして、処理動作を終了させる。
【００５６】
かくして、本実施例によれば、乳化化粧料に配合すべき複数の油剤、可溶化剤、非イオン界面活性剤および防腐剤の種類とそれぞれの配合濃度とを選択的に入力するにあたり、過去の処方値等を参考にし有効に活用することによって、前記ステップ１からステップ１３に亘る処理で、防腐剤の配合濃度Ｃおよび水相中で遊離の防腐剤濃度Ｃｗ  を正確に検索し算定することができ、前記防腐剤（例えばＭＰ，ＥＰ，ＰＰ，ＢＰ等のパラベン類からなる）の配合濃度Ｃが適正値となるように短時間で演算処理を実行できる。
【００５７】
また、コントロールユニット１の記憶エリア１Ａ等に前記数１〜数３および数５〜数８の演算式を予め記憶させておくことにより、前記ステップ１からステップ１０に亘る配合濃度Ｃ等の演算処理を行うときに、これらの各演算式を適宜に読出して順次演算処理を実行でき、その後のステップ１１ではディスプレイ５およびプリンタ６でこれらの演算結果や入力データを表示・出力することにより、前記ステップ１２、１３で防腐剤の配合濃度Ｃおよび水相中での防腐剤濃度Ｃｗ  が過去の処方実績から妥当であるか否かを評価しつつ、前記入力データの変更を容易に行うことができる。
【００５８】
さらに、例えばＭＰ，ＥＰ，ＰＰ，ＢＰ等のパラベン類からなる防腐剤の水相中濃度（防腐剤濃度Ｃｗ  ）が抗菌活性に重要な役割を果すとの知見に基づき、多価アルコール類（ＤＰＧ）等からなる可溶化剤を水相中に加えるようにしているから、ＤＰＧ等の可溶化剤によって水相中での防腐剤濃度Ｃｗ  を確実に増加させることができ、乳化化粧料の防腐力を効果的に増強できる。
【００５９】
加えて、非イオン界面活性剤がパラベン類の抗菌活性を低下させるとの知見に基づき、その低下の度合いを掌握することにより、製剤の防腐力を適切に判断するものである。
【００６０】
さらにまた、上記の知見に基づきパラベン類等からなる防腐剤の油相−水相分配係数Ｐｋ  を、油相が単一成分からなる単純系（油相−水相の容量比が１：１である単純系）での各油剤ｋ毎の分配係数Ｐｋ  として、前記数２，数３の演算式により水相中での可溶化剤濃度ｘ（容量％）に関連付けて算定しているから、各油剤ｋの混合系（鉱油，ミリスチン酸オクチルドデシルおよびシクロジメチルポリシロキサンを混合した状態）における防腐剤の油相−水相分配係数Ｐｒ  を、前記数５の式でより正確に算定できると共に、これによって防腐剤の配合濃度Ｃおよび水相中で遊離の防腐剤濃度Ｃｗ  をより正確に検索算定することができる。
【００６１】
従って、本実施例によれば、乳化化粧料に対する防腐剤（ＭＰ，ＥＰ，ＰＰ，ＢＰ等のパラベン類からなる）の配合濃度Ｃを短時間で算出でき、これらの防腐剤の配合濃度を適正に演算処理することができる等の効果を奏する。
【００６２】
なお、前記実施例では、図２および図３に示すプログラムのうち、ステップ３が本発明の構成要件である可溶化剤濃度算定手段の具体例を示し、ステップ５が第１の分配係数算定手段の具体例であり、ステップ６が第２の分配係数算定手段の具体例であり、ステップ７が容積比算定手段の具体例であり、ステップ８が非イオン界面活性剤によるパラベン類の抗菌活性低下率の算定手段の具体例であり、さらにステップ９からステップ１３に亘る処理が防腐剤濃度検索算定手段の具体例である。
【００６３】
また、前記実施例では、乳化化粧料に配合する複数の油剤として鉱油，ミリスチン酸オクチルドデシルおよびシクロジメチルポリシロキサンを用いる場合を例に挙げて説明したが、これに替えて、乳化化粧料に配合する複数の油剤ｋとして、例えば鉱油、スクワラン、ミリスチン酸オクチルドデシル、トリ−２−エチルヘキサン酸グリセリン、ミリスチン酸イソセチル、トリステアリン酸硬化ヒマシ油、オリーブ油、メチルポリシロキサン、メチルフェニルポリシロキサン、シクロジメチルポリシロキサン、メトキシケイ皮酸オクチル、パラジメチルアミノ安息香酸オクチルを下記の表７の如く用いてもよい。
【００６４】
【表７】
0003618489.tif 000010
【００６５】
そして、この場合には純水（水相）に加える可溶化剤として、例えば１，３ブチレングリコール（１，３−ＢＧ）、ジプロピレングリコール（ＤＰＧ）からなる多価アルコールを用い、防腐剤としてパラオキシメチルエステル（ＭＰ）、パラオキシエチルエステル（ＥＰ）、パラオキシプロピルエステル（ＰＰ）、パラオキシブチルエステル（ＢＰ）を用いることにより、各油剤ｋ毎の単純系における油相−水相分配係数Ｐｋ  を上記の表７に示すように求めることができる。
【００６６】
表７に示す以外の油剤についても、予め単純系における油相−水相分配係数を求めることによって、乳化化粧料に用いることができる。
【００６７】
さらに、前記実施例では、水系乳化組成物として乳化化粧料を調製する場合を例に挙げて説明したが、本発明はこれに限らず、例えば薬品または食品等の水系乳化組成物を調製する場合にも適用できるものである。
【００６８】
具体的な乳化製剤について本発明装置によって算出した値を基に防腐剤の配合濃度を決定した。その結果を表８に示す。乳化製剤の場合、応用例１または２に示したように、防腐剤は一般にパラベン類の合計で０．２〜０．３％程度配合することが多い。しかし、本発明装置による演算処理の結果、この処方では応用例４に示したように防腐剤濃度が０．０５％では防腐力を失ってしまうが、応用例８に示したように防腐剤濃度が０．０７％では防腐力が得られることがわかり、実際の防腐試験結果によってもこのことが実証された。
【００６９】
【表８】
0003618489.tif 000011
【００７０】
【発明の効果】
以上詳述した如く、本発明により、例えば乳化化粧料等の水系乳化組成物に添加すべき防腐剤の配合濃度を適正化するのに用いて好適な防腐剤の配合濃度演算処理装置を提供できることは明らかである。
【図面の簡単な説明】
【図１】本発明の実施例による防腐剤の配合濃度演算処理装置を示す制御ブロック図である。
【図２】コントロールユニットによる防腐剤の配合濃度演算処理を示す流れ図である。
【図３】図２に続く防腐剤の配合濃度演算処理を示す流れ図である。
【図４】防腐剤の配合濃度および水相中濃度を示す特性線図である。
【符号の説明】
１  コントロールユニット
２  キーボード（入力手段）
３  マウス（入力手段）
４  記憶装置
５  ディスプレイ（表示・出力手段）
６  プリンタ（表示・出力手段）
【図１】
0003618489.tif 000012
【図２】
0003618489.tif 000013
【図３】
0003618489.tif 000014
【図４】
0003618489.tif 000015